(57)【要約】【課題】被測定者の身長差に対応して正確な体脂肪率測定を行うことができ、測定センサ付近に大きな荷重が加わったときの損傷を防止することができる体脂肪率測定センサの支持機構を提供する。【解決手段】アーム部５ａは、連結板１３ａに固着されたベース部材１６ａと、保護カバー２３ａ，２３ｂと、板状の係止バネ２８と、断面コ字状のアーム支持部材２４と、上部支軸２５ａおよび下部支軸２５ｂを有する保持部材２５と、支軸１０と、この支軸１０の両端に係止されるＥリング２９と、アーム支持部材２４に対してこれを覆うように固着される断面コ字状の補強部材２６と、電極６ａ，６ｂと、これらの電極６ａ，６ｂから延設される信号ケーブル３０ａ，３０ｂおよびコネクタ３１ａ，３１ｂと、アーム部３２ａと、背面ケース３３ｂと、背面ケース３３ｂの背面側に貼着される半球形状のクッション３４と、を備えている。【選択図】  図８
2006271407.tif 000002
【特許請求の範囲】
【請求項１】
壁面に取り付け固定される断面コ字形状の金属製のベース部材と、少なくとも垂下姿勢から水平起立姿勢の範囲内において回動可能に前記ベース部材に取り付けられた断面コ字形状の金属製のアーム支持部材と、人体のインピーダンスを測定するため前記アーム支持部材に設けられた測定センサと、前記アーム支持部材を水平起立させたときにその起立姿勢を保持するために前記アーム支持部材に傾動可能に軸支された保持部材と、前記保持部材を係脱可能に係止するため前記ベース部材に設けられた受け部と、を備え、
前記ベース部材に開設された複数の貫通孔を貫通して壁面に螺着されるネジ式の固定具を設けたことを特徴とする体脂肪率測定センサの支持機構。
【請求項２】
前記測定センサである電極を備えた合成樹脂製のアーム部材で前記アーム支持部材を被覆したことを特徴とする請求項１記載の体脂肪率測定センサの支持機構。
【請求項３】
前記アーム部材は、前記アーム支持部材の回動中心部位よりも前記電極配置部位が太いことを特徴とする請求項２記載の体脂肪率測定センサの支持機構。
【請求項４】
前記保持部材を一定方向へ誘導するため、前記受け部に連通するとともに前記保持部材の一部が差し込まれたガイド溝を前記ベース部材に形成したことを特徴とする請求項１〜３のいずれかに記載の体脂肪率測定センサの支持機構。
【請求項５】
前記アーム支持部材が自重により水平起立姿勢から垂下姿勢に回動するときに、前記保持部材の一部が係脱可能に係止して前記アーム支持部材の自重回動を阻止する緩衝部材を、前記ベース部材の一部に設けたことを特徴とする請求項１〜４のいずれかに記載の体脂肪率測定センサの支持機構。
【請求項６】
被測定者の身体情報を入力する入力部と、入力された前記身体情報を記憶する記憶部と、前記電極で測定したインピーダンスと前記記憶部に記憶された被測定者の身体情報に基づいて体脂肪率を算出する演算部と、前記演算部により算出された体脂肪率を表示する表示部とを備えた本体基板を前記ベース部材に連接して設けたことを特徴とする請求項１〜５のいずれかに記載の体脂肪率測定センサの支持機構。
【発明の詳細な説明】
【技術分野】
【０００１】
本発明は、一般家庭の洗面所、トイレルーム等の化粧室などに配置される体脂肪計の一部を構成する体脂肪率測定センサの支持機構に関する。
【背景技術】
【０００２】
近年の健康志向の高まりに伴い、一般家庭においては、日々の体重測定だけでなく、体脂肪率を測定することが多くなっている。家庭内で多用される体脂肪計には様々なタイプのものがあるが、測定者が左右の手でグリップ部を握って測定を行うハンディタイプものや、床面に載置して使用するスタンドタイプのもの（例えば、特許文献１参照。）などが代表的である。
【０００３】
特許文献１に記載された体脂肪計（体成分分析装置）においては、測定台に垂直に立設されたケースの左右両側にそれぞれ、上下方向および水平方向に回動自在なハンドルが設けられ、これらのハンドルの先端付近にインピーダンス測定用の電極が配置されている。左右２本のハンドルは任意の回動位置で保持できるため、測定者に身長差があっても、正確なインピーダンス測定を行うことができる。
【０００４】
【特許文献１】特開２００３−２６５４２９号公報
【発明の開示】
【発明が解決しようとする課題】
【０００５】
特許文献１に記載された体脂肪計の場合、左右２本のハンドルを上下方向および水平方向に回動させることによって測定者の身長に合致した測定姿勢をとることができる点では優れている。しかしながら、左右のハンドルはそれぞれ自在継手を介してケースの左右両側に連結されているため、子供がハンドルにぶら下がるようなことがあると、ハンドルの基端部分に多大な荷重が加わり、自在継手などが損傷するおそれがある。
【０００６】
本発明が解決しようとする課題は、被測定者の身長差に対応して正確な体脂肪率測定を行うことができ、測定センサ付近に大きな荷重が加わったときの損傷を防止することができる体脂肪率測定センサの支持機構を提供することにある。
【課題を解決するための手段】
【０００７】
本発明の体脂肪率測定センサの支持機構は、壁面に取り付け固定される断面コ字形状の金属製のベース部材と、少なくとも垂下姿勢から水平起立姿勢の範囲内において回動可能に前記ベース部材に取り付けられた断面コ字形状の金属製のアーム支持部材と、人体のインピーダンスを測定するため前記アーム支持部材に設けられた測定センサと、前記アーム支持部材を水平起立させたときにその起立姿勢を保持するために前記アーム支持部材に傾動可能に軸支された保持部材と、前記保持部材を係脱可能に係止するため前記ベース部材に設けられた受け部と、を備え、前記ベース部材に開設された複数の貫通孔を貫通して壁面に螺着されるネジ式の固定具を設けたことを特徴とする。
【０００８】
このような構成とすれば、被測定者の身長の高低に応じて、測定センサが設けられたアーム支持部材を垂下姿勢または水平起立姿勢にセットして被測定者の人体インピーダンスを測定可能となるため、被測定者の身長差に対応して正確な体脂肪率測定を行うことができる。
【０００９】
また、アーム支持部材およびベース部材はいずれも断面コ字形状をなす金属製であり、ベース部材は複数のネジ式の固定具を壁面に螺着することによって強固に固定され、水平起立姿勢にセットされたアーム支持部材は、当該アーム支持部材に軸支されるとともにベース部材の受け部で係止されることによって、アーム支持部材とベース部材とを連接する保持部材によって起立姿勢が保たれるため、測定センサ付近に大きな荷重が加わったときの損傷を防止することができる。
【００１０】
ここで、前記測定センサである電極を備えた合成樹脂製のアーム部材で前記アーム支持部材を被覆すれば、合成樹脂製のアーム部材に備えつけられた電極を手の平で触れることによって人体のインピーダンスを測定可能となるため、測定が容易となり、手の感触も良好となる。
【００１１】
この場合、前記アーム部材は、前記アーム支持部材の回動中心部位よりも前記電極配置部位を太くすることが望ましい。このような構成とすれば、手の平との密着性を高めることができるため、測定精度を高めることができる。
【００１２】
一方、前記保持部材を一定方向へ誘導するため、前記受け部に連通するとともに前記保持部材の一部が差し込まれたガイド溝を前記ベース部材に形成すれば、アーム支持部材を水平起立させたり、垂下させたりする際の保持部材の移動がガイド溝によってガイドされるため、受け部に対する保持部材の係合、離脱動作を確実に行うことができる。
【００１３】
また、前記アーム支持部材が自重により水平起立姿勢から垂下姿勢に回動するときに、前記保持部材の一部が係脱可能に係止して前記アーム支持部材の自重回動を阻止する緩衝部材を、前記ベース部材の一部に設ければ、水平起立状態にあるアーム支持部材が、自重回動して垂下状態に戻る際に、周辺部材に衝突するのを回避することが可能となるため、騒音の発生、部材の損傷を防ぐことができ、安全性も向上する。
【００１４】
さらに、被測定者の身体情報を入力する入力部と、入力された前記身体情報を記憶する記憶部と、前記電極で測定したインピーダンスと前記記憶部に記憶された被測定者の身体情報に基づいて体脂肪率を算出する演算部と、前記演算部により算出された体脂肪率を表示する表示部とを備えた本体基板を前記ベース部材に連接して設ければ、被測定者の体脂肪率の算出に必要なデータをその場で入力することが可能となるため、使い方が容易となり、利便性が向上する。
【発明の効果】
【００１５】
本発明により、測定者の身長差に対応して正確な体脂肪率測定を行うことができ、測定センサ付近に大きな荷重が加わったときの損傷を防止することができる。
【発明を実施するための最良の形態】
【００１６】
以下、図面に基づいて、本発明の実施の形態について説明する。図１は本発明の実施の形態である体脂肪率測定センサの支持機構を用いた体脂肪計を示す正面図、図２は図１に示す体脂肪計の右側面図、図３は図１に示す体脂肪計の底面図、図４は図１に示す体脂肪計の背面図、図５（ａ）は図１に示す体脂肪計におけるアームの起伏状態を示す右側面図、図５（ｂ）は図１に示す体脂肪計における表示部の起伏状態を示す一部省略右側面図である。また、図６は図１に示す体脂肪計の概略構成を示すブロック図、図７は図１に示す体脂肪計の初期設定手順を示す説明図である。
【００１７】
図１〜図５に示すように、本実施形態に係る体脂肪計１は、その背面側に取付けプレート２を介在させてトイレ（図示せず）などの壁面３に垂直状態に取り付けて使用するものである。体脂肪計１は、壁面３に取り付けられる本体基板４と、この本体基板４に対して起立、倒伏する方向に回動可能（図５（ａ）参照）に保持された左右２つのアーム部５ａ，５ｂと、被測定者の人体のインピーダンスを測定するためアーム部５ａ，５ｂにそれぞれ設けられた電極６ａ，６ｂと、を備えている。左右のアーム部５ａ，５ｂはそれぞれ水平方向に配置された支軸１０（図４参照）を中心に回動可能に取り付けられている。
【００１８】
本体基板４の正面上方には、被測定者の身体情報を入力するための入力部７が設けられ、その下方には、体脂肪率などの測定結果を表示する表示部８が配置されている。表示部８は、壁面３と平行な水平方向の支軸（図示せず）を有するヒンジ部９を介して本体基板４に対して起立、倒伏する方向に回動可能（図５（ｂ）参照）に取り付けられている。また、左右のアーム部５ａ，５ｂに設けられた電極６ａ，６ｂの上方部分（支軸１０寄りの部分）には、被測定者の手の接触位置を規定するための鼻形状の突起部１１が設けられている。
【００１９】
図１に示すように、入力部７には、電源をＯＮ・ＯＦＦするための電源スイッチ７ａと、登録者を選択するための複数の選択ボタン７ｂと、測定モードを選択するための複数のモード切替ボタン７ｃと、測定結果を記録するための記録ボタン７ｄと、被測定者のデータ設定モードに切り替えるための個人ボタン７ｅと、時刻設定モードに切り替えるための時刻ボタン７ｆと、設定数値を増減させるための数値切替ボタン７ｈ，７ｉと、設定データを増減した数値に更新するための更新ボタン７ｇとが配置されている。
【００２０】
図１に示すように、表示部８には、測定結果を表示する出力表示部８Ｘと、設定データを表示する入力表示部８Ｙとが設けられている。出力表示部８Ｘには、尿糖値、血圧値および脈拍を表示する液晶パネル８ａと、体重値、体脂肪率および肥満程度を表示する液晶パネル８ｂとが設けられている。入力表示部８Ｙには、身長、年齢および性別を表示する液晶パネル８ｃが設けられている。
【００２１】
一方、図４に示すように、体脂肪計１の本体基板４の背面の中央部分には、背面側へ突出したカバー１２が複数のネジ１４によって取り付けられ、他の機器との間で信号の送受信を行うための複数のキャブタイヤケーブル１８が、カバー１２の中央下部から下方に向かって延設されている。これらのキャブタイヤケーブル１８は押さえ板１９およびネジ２０によりカバー１２に係止されている。カバー１２の左右には、アーム部５ａ，５ｂの支持機構１５ａ，１５ｂを構成するベース部材１６ａ，１６ｂにそれぞれ固着された竿旗形状の連結板１３ａ，１３ｂが複数のネジ１７によって取り付けられている。これらの連結板１３ａ，１３ｂは剛性の高い金属板で形成されている。
【００２２】
図１で示したように、本体基板４の正面側には、被測定者の身体情報を入力する入力部７と、測定結果を表示する表示部８とが設けられているが、本体基板４の内部には、図６に示すように、入力部７から入力された被測定者の身体情報を記憶する記憶部２１と、電極６ａ，６ｂで測定したインピーダンスと図示せぬ体重計で測定した体重値及び記憶部２１に記憶された被測定者の身体情報に基づいて体脂肪率を算出する演算部２２とが設けられている。そして、演算部２２で算出された体脂肪率を示す数値が表示部８の液晶パネル８ｂに表示される。
【００２３】
ここで、図７を参照して、体脂肪計１の初期設定手順について説明する。まず、図７（ａ）に示すように、入力部７にある電源スイッチ７ａを押して体脂肪計１を始動させた後、入力部７の個人ボタン７ｅを押して、被測定者のデータ入力を開始する。個人ボタン７ｅを押した後、選択ボタン７ｂ（Ａ〜Ｄ，ゲスト）のいずれかを押すと、入力表示部８Ｙの液晶パネル８ｃ中の身長表示部８ｄが数値「１６０」を表示して点滅し始めるので、数値切替ボタン７ｈ，７ｉのいずれかを押して被測定者の身長値と合わせる。被測定者の身長値と同じ数値が表示された後、表示部８の個人ボタン７ｅを押すと身長が確定される。
【００２４】
身長が確定されると、入力表示部８Ｙの年齢表示部８ｅが数値「４０」を表示して点滅し始めるので、数値切替ボタン７ｈ，７ｉのいずれかを押して被測定者の年齢値と合わせる。被測定者の年齢値と同じ数値が表示されたら、表示部８の個人スイッチ７ｅを押して年齢を確定する。性別についての同じような手順で男女を設定し、最後に更新ボタン７ｇを押して設定を完了する。これによって、初期設定が完了するが、被測定者が複数存在する場合は、各被測定者について前述した手順に沿って初期設定操作を行う。
【００２５】
次に、図８〜図１０を参照して、アーム部５ａ，５ｂの構造、機能などについて説明する。図８は図１に示す体脂肪計を構成するアーム部材の分解斜視図、図９は倒伏姿勢にあるアーム部材の垂直断面図、図１０は最大角度起立姿勢にあるアーム部材の垂直断面図である。なお、図８〜図１０にはアーム部５ａについて記載しているが、アーム部５ｂはアーム部５ａと互いに鏡面対称な構造であり、機能も同じであるため、アーム部５ｂについては説明を省略する。
【００２６】
図８に示すように、アーム部５ａは、連結板１３ａに固着されたベース部材１６ａと、保護カバー２３ａ，２３ｂと、板状の係止バネ２８と、断面コ字状のアーム支持部材２４と、上部支軸２５ａおよび下部支軸２５ｂを有する保持部材２５と、支軸１０と、支軸１０の両端に係止されるＥリング２９と、アーム支持部材２４に対してこれを覆うように固着される断面コ字状の補強部材２６と、電極６ａ，６ｂと、電極６ａ，６ｂから延設される信号ケーブル３０ａ，３０ｂおよびコネクタ３１ａ，３１ｂと、アーム部材３２ａと、背面ケース３３ｂと、背面ケース３３ｂの背面側に貼着される半球形状のクッション３４と、を備えている。
【００２７】
保護カバー２３ａ，２３ｂはベース部材１６ａの左右両側に付設され、係止バネ２８はベース部材１６ａの内側にネジ（図示せず）で固定され、アーム支持部材２４は支軸１０を介してベース部材１６ａに回動可能に取り付けられる。このとき、支軸１０は、ベース部材１６ａの上端部分にある支持孔１６ｃと、アーム支持部材２４の上端部分にある支持孔２４ａとを貫通する状態に取り付けられ、その両端部にＥリング２９が係止される。アーム支持部材２４、保持部材２５および補強部材２６は高剛性の金属板で形成され、係止バネ２８は弾性金属板で形成され、支軸１０は金属丸棒材で形成されている。
【００２８】
保持部材２５は、ベース部材１６ａとアーム支持部材２４との間に配置され、その上部支軸２５ａの両端部が、アーム支持部材２４の左右の支持孔２４ｂにそれぞれ回動可能に軸支され、下部支軸２５ｂの両端部がそれぞれ、ベース部材１６ａの左右のガイド溝１６ｇに沿って移動可能に取り付けられる。これによって、支軸１０を介してベース部材１６ａに回動可能に軸支されたアーム支持部材２４と、ベース部材１６ａとアーム支持部材２４との間に配置された保持部材２５とによって支持機構１５ａが形成される。アーム支持部材２４の下部には、複数のネジ孔２４ｃを有する平板状の固定部２４ｄが設けられている。
【００２９】
この後、図９に示すように、電極６ａ，６ｂが背面から嵌入されたアーム部材３２ａを、補強部材２６の正面側から支持機構１５ａ全体を覆うように装着し、補強部材２６の背面側から貫通させた複数のネジ３６をアーム部材３２ａのネジ孔３２ｂに螺着させることによって、アーム部材３２ａを支持機構１５ａに固定する。そして、背面ケース３３ｂを支持機構１５ａの背面側からアーム支持部材２４の固定部２４ｄに取り付けた後、背面ケース３３ｂの背面側から複数のネジ孔３３ｃにそれぞれネジ３５（図４参照）を挿入して、固定部２４ｄのネジ孔２４ｃに螺着すれば、アーム部５ａが形成される。なお、図４および図８に示すように、正面ケース３２ａ，３２ｂの側面に、その内側と貫通した円筒状の軸体３２ｃが形成されており、この軸体３２ｃが本体基板４の軸受け部４ｂ内に回動可能に緩挿される（図５（ｂ）参照）。また、この円筒状の軸体３２ｃの内部は、図８に示す信号ケーブル３０ａ，３０ｂを本体基板４へ配線する際の配線経路となっている。
【００３０】
このような構成とすることにより、支持機構１５ａを構成するアーム支持部材２４は、ベース部材１６ａに対して、支軸１０を中心に回動可能となる。従って、アーム支持部材２４に固着された補強部材２６に取り付けられたアーム部５ａは、図９に示すように垂下した倒伏状態から図１０に示すように最大角度まで起立した状態に至るまでの範囲内において、支軸１０を中心に回動可能となる。
【００３１】
次に、図１１〜図１６を参照して、支持機構の構造、機能などについて詳しく説明する。図１１はアーム部材を構成する支持機構の倒伏状態にあるときの左側面図、図１２は図１１に示す支持機構がバネ押し上げ状態に移行したときの左側面図、図１３は図１２に示す支持機構が最大回転状態に移行したときの左側面図、図１４は図１３に示す支持機構がロック状態に移行したときの左側面図、図１５は図１４に示す支持機構がロック解除状態に移行したときの左側面図、図１６は図１５に示す支持機構が回転途中で係止された状態に移行したときの左側面図である。なお、図１１〜図１５には支持機構１５ｂについて記載しているが、支持機構１５ａは支持機構１５ｂと互いに鏡面対称な構造であり、機能も同じであるため、支持機構１５ａについては説明を省略する。
【００３２】
図１１は、支持機構１５ｂを構成するアーム支持部材２４が倒伏状態にあるときを示しており、この状態が、後述する第１の測定姿勢となる。図１１においては、図９で示した支持機構１５ａには現れていない、係止バネ２８および誘導部材３７が示されている。係止バネ２８は、図８で示したように、略く字状の板バネであり、ベース部材１６ｂの内側に固定されている。誘導部材３７は、金属板で形成された略ブーメラン形状の部材であり、その一方の端部が支軸３８を介してベース部材１６ｂの左側面に回動可能に軸支されている。また、誘導部材３７の回動範囲を矢印４０の範囲内に規定するため、その中央部分に設けられた係止孔４１と、係止孔４１内に突出した状態でベース部材１６ｂの側面に固定された係止ピン３９とが設けられている。また、図１１の状態にあるとき、保持部材２５の下部支軸２５ｂは、係止バネ２８の下方を背面方向（連結板１３ｂ方向）へ押圧するとともに、係止バネ２８の反作用により下部支軸２５ｂは正面方向へ付勢されている。
【００３３】
誘導部材３７は内角側には２つの凸部３７ａ，３７ｂと、２つの湾部３７ｃ，３７ｄとが設けられ、凸部３７ｂおよび湾部３７ｃ，３７ｄが、ベース部材１６ｂのガイド溝１６ｇの上端部にある略三角形状の受け部１６ｈに臨むように配置されている。誘導部材３７はバネ（図示せず）によって支軸３８を中心に反時計方向（凸部３７ａが連結板１３ｂに接近する方向）に付勢されているため、外力が加わらない限り、図１１に示す状態に保たれる。
【００３４】
ここで、図１２に示すように、支軸１０を中心にアーム支持部材２４を上方に回動させて、元の位置から９９度まで起立させると、保持部材２５がその上部支軸２５ａを中心に回動しながらアーム支持部材２４とともに上昇し、その下部支軸２５ｂは係止バネ２８から離脱して、ベース部材１６ｂのガイド溝１６ｇに沿って上昇し、受け部１６ｈ内へ進入する。受け部１６ｈ内へ進入した下部支軸２５ｂは、誘導部材３７の湾部３７ｄ内へ入った後、凸部３７ｂを押し上げるため、誘導部材３７は支軸３８を中心に矢印４２方向へ回動していく。なお、下部支軸２５ｂが上昇して係止バネ２８から離脱することにより、係止バネ２８は原形に復元し、その下方は正面方向に移動する。
【００３５】
この後、更にアーム支持部材２４を上方へ回動させると、保持部材２５の下部支軸２５ｂが凸部３７ｂを押し上げるので、誘導部材３７は支軸３８を中心に更に矢印４２方向へ回動していくが、下部支軸２５ｂが凸部３７ｂの頂上を乗り越えると、誘導部材３７は付勢力によって直ちに矢印４２と逆方向に回動して元の状態に戻る。即ち、図１３に示すように、アーム支持部材２４を上方へ最大限まで回動させると、下部支軸２５ｂがガイド溝１６ｇの受け部１６ｈの上端コーナー部１６ｉに達し、誘導部材３７は矢印４３方向に回動して、その湾部３７ｃが下部支軸２５ｂに当接した状態となる。なお、本実施形態では、アーム支持部材２４の最大回動角度を元の位置から１１０度に設定しているが、これに限定するものではない。
【００３６】
この後、アーム支持部材２４に加えている上向きの力を解除すると、アーム支持部材２４は支軸１０を中心に倒伏方向へ回動するが、このとき、図１３に示す状態にある下部支軸２５ｂは、誘導部材３７の湾部３７ｃから凸部３７ｂの上縁に沿って下降していき、図１４に示すように、ガイド溝１６ｇの受け部１６ｈの係止部１６ｊに入り込み、ここに係止される。これにより、保持部材２５はベース部材１６ｂとアーム支持部材２４との間に動かないように拘束されるため、アーム支持部材２４はもとの位置から９０度起立した状態で保持部材２５によってロックされる。
【００３７】
この後、図１５に示すように、アーム支持部材２４を上方に回動させると、保持部材２５も同時に上昇するため、その下部支軸２５ｂは受け部１６ｈの係止部１６ｊから離脱するが、直ちに誘導部材３７の凸部３７ｂの下縁に当接し、それに沿って誘導されながら湾部３７ｄに入り込み、ガイド溝１６ｇの上方部分に位置する。本実施形態では、このときのアーム支持部材２４の起立角度を元の位置から１００度に設定しているが、これに限定するものではない。
【００３８】
図１５に示す状態において、保持部材２５の下部支軸２５ｂは、そのままガイド溝１６ｇに沿って下降可能であるため、アーム支持部材２４を支えている力を緩めると、アーム支持部材２４は自重により倒伏方向へ回動していく。これに伴い、保持部材２５の下部支軸２５ｂはガイド溝１６ｇに沿って下降していくが、その下方には、原形に戻った係止バネ２８の下方部分が位置している。このため、図１６に示すように、下部支軸２５ｂが係止バネ２８の下方部分に当接した時点でその下降が阻止され、その位置で保持部材２５が拘束される。これにより、アーム支持部材２４の回転が止まり、その状態で保持されるため、アーム支持部材２４が、自重で倒伏状態まで一挙に回動するのを防止することができる。本実施形態では、このときのアーム支持部材２４の元の位置からの起立角度を４５度に設定しているが、これに限定するものではない。
【００３９】
この後、アーム支持部材２４に斜め下向きの力を加えて倒伏方向に回動させれば、保持部材２５の下部支軸２５ｂが係止バネ２８の付勢力に打ち勝って、係止バネ２８を背面方向（連結板１３ｂ方向）へ押し込むように弾性変形させながら、ガイド溝１６ｇに沿って下降していくため、アーム支持部材２４を図１１に示す元の倒伏状態まで戻すことができる。この後、再びアーム支持部材２４を起立方向に回動させれば、前述した図１２〜図１６に示す状態を反復することができる。なお、図１１に示す状態においては、係止バネ２８が下部支軸２５ｂを正面側へ付勢することにより、下部支軸２５ｂは軽く拘束された状態に保たれている。このため、振動や接触などにより、アーム支持部材２４が勝手に揺動するのを防ぐことができる。
【００４０】
次に、図１〜図５および図１７，図１８を参照して、図１に示す体脂肪計１を壁面に取り付ける方法について説明する。図１７は図１に示す体脂肪計の取り付け手順を示す斜視図である。図１７に示すように、体脂肪計１は、その背面側に取付プレート２を介在させてトイレ（図示せず）などの壁面に固定して使用される。取付プレート２は、長方形をした金属製の板材の外周部を背面側（壁面側）に曲面状に折り曲げ、その上方部分に長方形の開口部２ａを設けて形成したものである。取付プレート２の四隅寄りの部分および中央部の左右の複数箇所には、板材を背面側（壁面側）に凹ませるとともに、そこにネジ挿入用の貫通孔２ｂが設けられている。また、開口部２ａの左右には、後述するネジ４４を通すための複数の貫通孔２ｄが設けられている。
【００４１】
図１７（ａ）に示すように、体脂肪計１の設置場所となる壁面（図示せず）に取付プレート２を配置し、その正面側から複数の貫通孔２ｂにそれぞれネジ４７を挿入し、壁面に対して螺着すると、取付プレート２が壁面に固定される。この後、体脂肪計１の背面を取付プレート２に向け、キャブタイヤケーブル１８を取付プレート２の開口部２ａを通って下方へ配線し、図２，図３に示すように、本体基板４の背面部４ａを開口部４ａ内に嵌め込むとともにフック２ｃに引っ掛ける。このとき、取付プレート２の背面に形成された配線用領域２ｚ内にキャブタイヤケーブル１８を配線することができるため（図１９参照）、配線の隠蔽処理が簡便となり、施工が容易となり、施工後の外観性も良好である。
【００４２】
この後、図１７（ｂ）に示すように、左右のアーム部５ａ，５ｂを上方に回動させ９０度起立状態にする。このとき、アーム部５ａ，５ｂ内の支持機構１５ａ，１５ｂが図１１〜図１４で示したように作動することによってアーム部５ａ，５ｂが９０度起立状態に保たれる。アーム部５ａ，５ｂを９０度起立させた状態にすると、連結板１３ａ，１３ｂの正面部分に固着されたベース部材１６ａ，１６ｂが現れるため、その下方部分に連結板１３ａ，１３ｂと連通して開設された複数の貫通孔１３ｃ（図４，図８参照）に対して、正面側からそれぞれネジ４４を挿入し、そのまま取付プレート２の貫通孔２ｄを通して壁面に螺着する。即ち、取付プレート２の貫通孔２ｄと、連結板１３ａ，１３ｂおよびベース部材１６ａ，１６ｂを連通して形成された貫通孔１３ｃとは、体脂肪計１を取付プレート２に装着したとき、同軸上で重なり合う位置に開設されているため、ネジ４４を貫通孔１３ｃに挿入すれば、そのまま貫通孔２ｄを連通して壁面に螺着することができる。全ての貫通孔１３ｃに対するネジ４４の螺着が終われば、体脂肪計１の取り付けが完了する。体脂肪計１の下方領域には、給水栓４５ａを備えた手洗い器４５が取り付けられる。
【００４３】
次に、図１および図１８〜図２２を参照して、体脂肪計１の使い方について説明する。図１８は図１に示す体脂肪計が壁面に取り付けられた状態を示す斜視図、図１９は図１８に示す体脂肪計の一部切欠左側面図、図２０は図１８に示す体脂肪計のアーム部材を起立させたときの一部省略斜視図、図２１は図１９に示す体脂肪計の一部切欠左側面図、図２２は図２１に示す体脂肪計のアーム部材が倒伏途中で係止されたときの一部切欠左側面図である。
【００４４】
待機状態にある体脂肪計１は、図１，図１８および図２０に示す状態となっている。被測定者は、電源スイッチ７ａを押して起動させた後、複数の選択ボタン７ｂのうち、自分に対応する選択ボタン７ｂを押す。そして、図２０，図２１に示すように、左右のアーム部５ａ，５ｂを水平方向に起立した姿勢にする。この場合、図１８に示す倒伏状態にあるアーム部５ａ，５ｂを手で掴んで、その状態から一旦１１０度の位置まで回動させた後、手を離せば、アーム部５ａ，５ｂは自動的に水平姿勢となる。この過程においては、アーム部５ａ，５ｂに内蔵された支持機構１５ａ，１５ｂが図１１〜図１４で示したように作動し、ベース部材１６ａ，１６ｂとアーム支持部材（図示せず）との間に保持部材２５が係合することによってアーム部５ａ，５ｂがロックされて水平姿勢に保たれる。このロック状態が第１の測定姿勢となる。
【００４５】
そして、図２０に示すように、表示部８を上方に回動させ、被測定者が液晶パネル８ａ，８ｂ，８ｃを見やすい傾斜角度にセットする。図５（ｂ）で示したように、表示部８は倒伏状態から水平起立状態の範囲内で任意の傾斜角度にセットすることができるため、被測定者の目の高さに応じた適切な状態とすることができる。
【００４６】
アーム部５ａ，５ｂおよび表示部８のセットが完了したら、被測定者は左右の手の平を下にして、水平状態にあるアーム部５ａ，５ｂの上面に載せる。このとき、アーム部５ａ，５ｂの上面にある突起部１１をそれぞれ左右の手の人差し指と中指との間の指股で挟むとともに、両手の平を電極６ａ，６ｂに密着させる。この後は、自動的に被測定者の人体のインピーダンスが測定され、それに基づいて演算部２２（図６参照）で算出された体脂肪率および肥満程度などが表示部８の液晶パネル８ｂに表示される。
【００４７】
体脂肪率の測定が終わったら、アーム部５ａ，５ｂを水平姿勢から上に回動させると、倒伏姿勢から１００度に達した位置で、図１５で示したように、保持部材２５の下部軸体２５ｂが、ガイド溝１６ｇの受け部１６ｈの係止部１６ｊから離脱してガイド溝１６ｇの上方に移動する。従って、この状態でアーム部５ａ，５ｂを支えている力を緩めるか、手を離せば、アーム部５ａ，５ｂは自重で倒伏方向へ回動するが、図１６で示したように、保持部材２５の下部軸体２５ｂが、緩衝部材である係止バネ２８に当接するため、その位置でアーム部５ａ，５ｂの回動が止まり、その状態に保持される。そこで、この後、アーム部５ａ，５ｂに力を加えて倒伏方向に回動させれば、下部軸体２５ｂが係止バネ２８を背面側へ押し込みながらガイド溝１６ｇに沿って下降していき、アーム部５ａ，５ｂは図１８，図１９に示す倒伏状態に戻る。この後、電源スイッチ７ａを押せば電源がＯｆｆされ、体脂肪計１は待機状態となる。
【００４８】
一方、体脂肪計１は、図１８，図１９に示すように、アーム部５ａ，５ｂが倒伏状態にあるときでも体脂肪率の測定を行うことができる。即ち、電源スイッチ７ａを押して電源をＯＮした後、倒伏状態にあるアーム部５ａ，５ｂの突起部１１および電極６ａ，６ｂに対して、水平起立状態にしたときと同じ要領で被測定者の左右の手の平を密着させれば、自動的に人体のインピーダンスが測定され、演算部２２（図６参照）で算出された体脂肪率が液晶パネル８ｂに表示される。このように、アーム部５ａ，５ｂを倒伏させた状態においても体脂肪率の測定を行うことができるため、身長の低い被測定者でも楽な姿勢で正確な測定を行うことができる。
【００４９】
前述したように、本実施形態の体脂肪計１は、壁面３に取り付けられる本体基板４と、この本体基板４に対して起立、倒伏する方向に回動可能に保持された２つのアーム部５ａ，５ｂと、人体のインピーダンスを測定するためアーム部５ａ，５ｂにそれぞれ設けられた電極６ａ，６ｂとを備えている。従って、被測定者は、アーム部５ａ，５ｂを起立姿勢または倒伏姿勢のいずれかにセットし、左右の手の平を電極６ａ，６ｂに密着させるようにアーム部５ａ，５ｂに触れるだけで、体脂肪率の測定を行うことができる。このため、正しい姿勢で体脂肪率の測定を行うことができ、測定精度の向上も図ることができる。
【００５０】
また、アーム部５ａ，５ｂを起立状態に保持するため、ベース部材１６ａ，１６ｂ、アーム支持部材２４および保持部材２５からなるロック機構をそれぞれ支持機構１５ａ，１５ｂに設けている。従って、アーム部５ａ，５ｂを倒伏姿勢、起立姿勢の２つの姿勢で安定的に保持可能であり、身長の高い人はアーム部５ａ，５ｂを起立状態に保持して測定し、身長の低い人はアーム部５ａ，５ｂを倒伏状態に保持して測定することができる。このため、各人の身長差に対応して、身体的負担の少ない楽な姿勢で測定することができる。
【００５１】
さらに、図１６，図２２で示したように、ロック機構のロック状態を解除したとき、アーム部５ａ，５ｂが自重で倒伏姿勢まで回動するのを防止する緩衝手段として、支持機構１５ａ，１５ｂを構成する保持部材２５の下部軸体２５ｂの昇降領域に係止バネ２８を設けている。従って、起立状態にあるアーム部５ａ，５ｂが、ロック解除後、自重で一気に倒伏状態まで戻ること、および倒伏状態に戻る際にアーム部５ａ，５ｂの構成部材と周辺部材とが衝突することを回避することができる。このため、騒音の発生、部材の損傷を防ぐことができ、安全性も向上する。また、図４，図９，図１０で示したように、アーム部５ａ，５ｂの背面ケース３３ｂには半球状のクッション３４を設けているため、アーム部５ａ，５ｂが倒伏状態に戻るとき、最初にクッション３４が取付プレート２に当接することにより、衝撃を緩和することができる。
【００５２】
一方、アーム部５ａ，５ｂに設けられた電極６ａ，６ｂの近傍に、被測定者の手の接触位置を規定するための突起部１１を設けているため、この突起部を基準にして、被測定者の手が常に一定の位置へ置かれるようになり、測定精度のさらなる向上を図ることができる。
【００５３】
さらに、図１，図６で示したように、本体基板４は、被測定者の身体情報を入力する入力部７と、入力された身体情報を記憶する記憶部２１と、電極６ａ，６ｂで測定したインピーダンスと図示せぬ体重計で測定した体重値および記憶部２１に記憶された被測定者の身体情報に基づいて体脂肪率を算出する演算部２２と、演算部２２により算出された体脂肪率を表示する表示部８と、を備えている。このため、被測定者の体脂肪率の算出に必要なデータを、その場で入力することが可能であり、使い方も容易であり、利便性に優れている。
【００５４】
また、アーム支持部材２４およびベース部材１６ａ，１６ｂはいずれも断面コ字形状をなす金属製であり、ベース部材１６ａ，１６ｂは複数のネジ４４を壁面３に螺着することによって強固に固定されている。さらに、水平起立姿勢にセットされたアーム支持部材２４は、当該アーム支持部材２４に軸支されるとともにベース部材１６ａ，１６ｂの受け部１６ｈで係止されることによってアーム支持部材２４とベース部材１６ａ，１６ｂとを連接する保持部材２５によって起立姿勢が保たれるため、測定センサである電極６ａ，６ｂ付近に大きな荷重が加わったときの損傷を防止することができる。
【００５５】
さらに、測定センサである電極５ａ，５ａを備えた合成樹脂製のアーム部３２ａ，３２ｂでアーム支持部材２４を被覆しているため、このアーム部３２ａ，３２ｂにある電極６ａ，６ｂを手の平で触れることによって人体のインピーダンスを測定できる。このため、測定は極めて容易であり、手の感触も良好である。
【００５６】
そして、アーム部３２ａ，３２ｂは、アーム支持部材２４の回動中心部位（支軸１０付近）よりも電極６ａ，６ｂの配置部位が太く形成されているため、手の平との密着性が良好であり、測定精度を高めることができる。また、電極６ａ，６ｂの配置部位を太くしたことにより、子供の手で握ることができなくなるため、子供がアーム部５ａ，５ｂに手を掛けてぶら下がることがあっても、ベース部材１６ａ，１６ｂとの間に指を挟むことがない。
【００５７】
一方、保持部材２５を一定方向へ誘導するため、受け部１６ｈに連通するとともに保持部材２５の下部支軸２５ｂが差し込まれたガイド溝１６ｇをベース部材１６ａ，１６ｂに形成しているため、アーム支持部材２４を水平起立させたり、垂下させたりする際の保持部材２５の移動がガイド溝１６ｇによって円滑にガイドされることとなり、受け部１６ｈに対する保持部材２５の係合、離脱動作を確実に行うことができる。
【００５８】
また、アーム支持部材２４が自重により水平起立姿勢から垂下姿勢に回動するときに、保持部材２５の下部支軸２５ｂが係脱可能に係止して、アーム支持部材２５の自重回動を阻止する緩衝部材である係止バネ２８を、ベース部材１６ａ，１６ｂに設けている。このため、水平起立状態にあるアーム支持部材２４が、自重回動して垂下状態に戻る際に、周辺部材に衝突するのを回避することができ、騒音の発生、部材の損傷を防ぐことができ、安全性も向上する。
【産業上の利用可能性】
【００５９】
本発明に係る体脂肪率測定センサの支持機構は、一般住宅のトイレルーム、洗面所、脱衣所などの化粧室などの壁面に設置される体脂肪計などにおいて広く利用することができる。
【図面の簡単な説明】
【００６０】
【図１】本発明の実施の形態である体脂肪率測定センサの支持機構を用いた体脂肪計を示す正面図である。
【図２】図１に示す体脂肪計の右側面図である。
【図３】図１に示す体脂肪計の底面図である。
【図４】図１に示す体脂肪計の背面図である。
【図５】（ａ）は図１に示す体脂肪計におけるアームの起伏状態を示す右側面図であり、（ｂ）は図１に示す体脂肪計における表示部の起伏状態を示す一部省略右側面図である。
【図６】図１に示す体脂肪計を構成する本体基板の概略構成を示す図である。
【図７】図１に示す体脂肪計の設定方法を示す説明図である。
【図８】図１に示す体脂肪計を構成するアーム部の分解斜視図である。
【図９】倒伏姿勢にあるアーム部の垂直断面図である。
【図１０】最大角度起立姿勢にあるアーム部の垂直断面図である。
【図１１】アーム部を構成する支持機構が倒伏状態にあるときの左側面図である。
【図１２】図１１に示す支持機構がバネ押し上げ状態に移行したときの左側面図である。
【図１３】図１２に示す支持機構が最大回転状態に移行したときの左側面図である。
【図１４】図１３に示す支持機構がロック状態に移行したときの左側面図である。
【図１５】図１４に示す支持機構がロック解除状態に移行したときの左側面図である。
【図１６】図１５に示す支持機構が倒伏途中で係止された状態に移行したときの左側面図である。
【図１７】図１に示す体脂肪計の取付手順を示す斜視図である。
【図１８】図１に示す体脂肪計が壁面に取り付けられた状態を示す斜視図である。
【図１９】図１８に示す体脂肪計の一部切欠左側面図である。
【図２０】図１８に示す体脂肪計のアーム部を起立させたときの一部省略斜視図である。
【図２１】図１９に示す体脂肪計の一部切欠左側面図である。
【図２２】図２１に示す体脂肪計のアーム部が倒伏途中で係止されたときの一部切欠左側面図である。
【符号の説明】
【００６１】
１  体脂肪計
２  取付プレート
２ａ  開口部
２ｂ，２ｄ  貫通孔
２ｃ  フック
２ｚ  配線用領域
３  壁面
４  本体基板
４ａ  背面部
４ｂ  軸受部
５ａ，５ｂ  アーム部
６ａ，６ｂ  電極
７  入力部
７ａ  電源スイッチ
７ｂ  選択ボタン
７ｃ  モード切替ボタン
７ｄ  記録ボタン
７ｅ  個人ボタン
７ｆ  時刻ボタン
７ｇ  更新ボタン
７ｈ，７ｉ  数値切替ボタン
８  表示部
８ａ，８ｂ，８ｃ  液晶パネル
８ｄ  身長表示部
８ｅ  年齢表示部
８Ｘ  出力表示部
８Ｙ  入力表示部
９  ヒンジ部
１０  支軸
１１  突起部
１２  カバー
１３ａ，１３ｂ  連結板
１３ｃ  貫通孔
１４，１７，２０，３５，３６，４４，４７  ネジ
１５ａ，１５ｂ  支持機構
１６ａ，１６ｂ  ベース部材
１６ｃ，２４ａ，２４ｂ  支持孔
１６ｇ  ガイド溝
１６ｈ  受け部
１６ｉ  上端コーナー部
１６ｊ  係止部
１８  キャブタイヤケーブル
１９  押さえ板
２１  記憶部
２２  演算部
２３ａ，２３ｂ  保護カバー
２４  アーム支持部材
２４ｃ，３２ｂ，３３ｃ  ネジ孔
２４ｄ  固定部
２５  保持部材
２５ａ  上部支軸
２５ｂ  下部支軸
２６  補強部材
２８  係止バネ
２９  Ｅリング
３０ａ，３０ｂ  信号ケーブル
３１ａ，３１ｂ  コネクタ
３２ａ，３２ｂ  アーム部材
３２ｃ  軸体
３３ｂ  背面ケース
３４  クッション
３７  誘導部材
３７ａ，３７ｂ  凸部
３７ｃ，３７ｄ  湾部
３８  支軸
３９  係止ピン
４１  係止孔
４５  手洗い器
４５ａ  給水栓
【図１】
2006271407.tif 000003
【図２】
2006271407.tif 000004
【図３】
2006271407.tif 000005
【図４】
2006271407.tif 000006
【図５】
2006271407.tif 000007
【図６】
2006271407.tif 000008
【図７】
2006271407.tif 000009
【図８】
2006271407.tif 000010
【図９】
2006271407.tif 000011
【図１０】
2006271407.tif 000012
【図１１】
2006271407.tif 000013
【図１２】
2006271407.tif 000014
【図１３】
2006271407.tif 000015
【図１４】
2006271407.tif 000016
【図１５】
2006271407.tif 000017
【図１６】
2006271407.tif 000018
【図１７】
2006271407.tif 000019
【図１８】
2006271407.tif 000020
【図１９】
2006271407.tif 000021
【図２０】
2006271407.tif 000022
【図２１】
2006271407.tif 000023
【図２２】
2006271407.tif 000024